(57)【要約】【課題】レバーを傾動させることにより短時間で加工布の枠張を行うことができ、且つ任意の傾動角度に調節されたレバーが枠張された加工布を弛緩させる方向へ傾動することを防止することにより厚さが異なる加工布の枠張も短時間で行うことができる刺繍枠を提供することを目的とする。【解決手段】環状の保持枠２１と、保持枠２１との間に加工布を挟着して枠張する挟着枠２５とを備え、挟着枠２５に切離部２７を形成し、切離部２７にて相対する挟着枠２５の両端間２５ｌ、２５ｒに切離部２７を繋ぐ調節締結具３０を架設した刺繍枠であって、調節締結具３０は、操作レバー４３と、操作レバー４３の傾動角度に応じて切離部２７の間口を連続的に拡大又は縮小する拡縮機構と、操作レバー４３が枠張された加工布を弛緩させる方向へ傾動することを防止する防止機構４１、４５とを備えたことを特徴とする刺繍枠。【選択図】図３
2012007267.tif 000002
【特許請求の範囲】
【請求項１】
環状の保持枠と、前記保持枠との間に加工布を挟着して枠張する挟着枠とを備え、前記挟着枠に切離部を形成し、前記切離部にて相対する前記挟着枠の両端間に該切離部を繋ぐ調節締結具を架設した刺繍枠であって、
前記調節締結具は、傾動可能に軸着されたレバーと、前記レバーの傾動角度に応じて前記切離部の間口を連続的に拡大又は縮小することで加工布を枠張する拡縮機構と、傾動範囲内の任意の傾動角度に調節された前記レバーが枠張された加工布を弛緩させる方向へ傾動することを防止する防止機構とを備えたことを特徴とする刺繍枠。
【請求項２】
前記防止機構は、前記レバーの傾動とともに回動する円柱体と、枠張された加工布を弛緩させる方向へ前記レバーが傾動すると前記円柱体を緊締する、前記円柱体に外嵌されたねじりコイルバネとを備えている請求項１記載の刺繍枠。
【請求項３】
前記拡縮機構は、前記挟着枠の一端に取着され前記レバーの傾動とともに回動するカムと、前記挟着枠の他端に設けられ前記カムに押圧される押圧部とを備えている請求項１又は２記載の刺繍枠。
【請求項４】
前記調節締結具は、挟着枠の両端に取着された一対の片部と、該一対の片部を前記切離部の間口方向へ案内する案内機構とを備えている請求項１〜３のいずれか一項に記載の刺繍枠。
【発明の詳細な説明】
【技術分野】
【０００１】
本発明は、刺繍加工に際して加工布を保持する刺繍枠に関するものである。
【背景技術】
【０００２】
従来の刺繍枠は、加工布を枠張する際に外枠の調節ネジを手で回して加工布を固定するものであった。そのため、多くの加工布に刺繍を行う場合等には、加工布を交換する度に調節ネジを手で回して外枠を締めたり緩めたりすることから、面倒で時間も掛かる上に、指先を痛めるおそれがあった。
【０００３】
そこで、出願人は、特許文献１、２において、ワンタッチ操作で加工布を枠張できる刺繍枠等を提案した。しかし、これらは、リンク機構を用いたものであり、二つのリンクが一直線になった状態の位置（死点）でしか固定できない（死点より手前の位置では加工途中に加工布が弛緩する、死点を過ぎた位置では加工布が弛緩して枠張される）ことから、異なる布厚（死点で固定できないくらい厚さが異なる）の加工布を枠張するためには、事前に外枠（保持枠）に設けられた調節ネジによる調節が必要となっていた。
【０００４】
一方、特許文献３〜５には、布厚が異なる加工布をワンタッチ操作で枠張できる刺繍枠が提案されている。
【０００５】
しかし、特許文献３に記載の刺繍枠は、布厚が異なる加工布を枠張するためには、操作部材に設けられた調節ネジを調節して、操作部材による外枠の締め付け量を調節することから、手間が掛かる上に、指先を痛めるおそれがあった。
特許文献４に記載の刺繍枠は、内枠に設けられた板バネの付勢力によって加工布を枠張することから、加工途中で加工布が弛緩するおそれがあった。
特許文献５に記載の刺繍枠は、手前に引いたアジャストレバー部が元に戻らないようにストッパー金具の先端部を袋ナット部の溝に引掛けていることから、段階的にしか調節できなかった。
【先行技術文献】
【特許文献】
【０００６】
【特許文献１】特開２００６−２８０９００号公報
【特許文献２】特開２００６−３０４９０９号公報
【特許文献３】特開２００８−２７９１８４号公報
【特許文献４】特許第３９５３６０４号公報
【特許文献５】実用新案登録第３０４３３４２号公報
【発明の概要】
【発明が解決しようとする課題】
【０００７】
そこで、本発明は、レバーを傾動させることにより短時間で加工布の枠張を行うことができ、且つ任意の傾動角度に調節されたレバーが枠張された加工布を弛緩させる方向へ傾動することを防止することにより厚さが異なる加工布の枠張も短時間で行うことができる刺繍枠を提供することを目的とする。
【課題を解決するための手段】
【０００８】
上記課題を解決するために、本発明の刺繍枠は、環状の保持枠と、前記保持枠との間に加工布を挟着して枠張する挟着枠とを備え、前記挟着枠に切離部を形成し、前記切離部にて相対する前記挟着枠の両端間に該切離部を繋ぐ調節締結具を架設した刺繍枠であって、前記調節締結具は、傾動可能に軸着されたレバーと、前記レバーの傾動角度に応じて前記切離部の間口を連続的に拡大又は縮小することで加工布を枠張する拡縮機構と、傾動範囲内の任意の傾動角度に調節された前記レバーが枠張された加工布を弛緩させる方向へ傾動することを防止する防止機構とを備えたことを特徴とする。
【０００９】
ここで、保持枠には、全周が閉じた無端枠を使用できるほか、従来と同様、切離部を粗調節ネジで接続して環状にした枠を使用できる。保持枠の形状は、特に限定されず、四角形、多角形、円形、楕円形等を例示できる。挟着枠は切離部を備えた有端枠であり、保持枠と相似する形状で成形することができる。保持枠と挟着枠の組み合わせは、特に限定されず、保持枠の内側に挟着枠を組み付けてもよく、保持枠の外側に挟着枠を組み付けてもよい。
【００１０】
調節締結具の態様としては、特に限定はされないが、挟着枠の両端に取着された一対の片部を備える態様等が例示できる。また、挟着枠の両端に取着された一対の片部を備える場合には、両方の片部を切離部の間口方向へ案内する案内機構を備える態様等が例示できる。
【００１１】
レバーの態様としては、特に限定はされないが、水平方向に傾動するものであってもよいし、垂直方向に傾動するものであってもよい。但し、垂直方向に傾動するものである場合には、レバーがミシンのヘッド等と干渉しないよう、調節締結具はミシンの手前側に設けられる。なお、水平方向に傾動するものである場合には、レバーがミシンのヘッド等と干渉しないことから、調節締結具はミシンの手前側又は奥側のどちらかに設けることができる。
【００１２】
拡縮機構の態様としては、特に限定はされないが、挟着枠の一端に取着されレバーの傾動とともに回動するカムと、挟着枠の他端に設けられカムに押圧される押圧部とを備える態様等が例示できる。例えば、調節締結具が挟着枠の両端に取着された一対の片部を備える場合には、この一対の片部の一方の片部にカムを設け、他方の片部に押圧部を設ける態様があげられる。
【００１３】
防止機構の態様としては、特に限定はされないが、レバーの傾動とともに回動する円柱体と、枠張された加工布を弛緩させる方向へレバーが傾動すると円柱体を緊締する、円柱体に外嵌されたねじりコイルバネとを備える態様等が例示できる。ここで、円柱体は中実であってもよいし、中空であってもよい。
【発明の効果】
【００１４】
本発明によれば、レバーを傾動させることにより短時間で加工布の枠張を行うことができ、且つ厚さが異なる加工布の枠張も短時間で行うことができる。
【図面の簡単な説明】
【００１５】
【図１】本発明の実施例の刺繍枠の平面図及び端面拡大図である。
【図２】同刺繍枠の外枠及び内枠の平面図である。
【図３】同刺繍枠の調節締結具付近の斜視図及び断面図である。
【図４】同調節締結具の分解斜視図である。
【図５】同調節締結具のロックバネと偏心カムの斜視図である。
【図６】同調節締結具の動きを示す平面図である。
【図７】同調節締結具の解除レバーの動きを示す平面図である。
【図８】同調節締結具のロックバネの変位を示す平面図である。
【図９】同調節締結具の偏心レバーと解除レバーの動きを示す平面図である。
【図１０】布厚が異なる加工布を枠張したときの同調節締結具の平面図である。
【発明を実施するための形態】
【実施例】
【００１６】
以下、本発明の実施例を図１〜図１０に基づいて説明する。図１に示すように、この実施例の刺繍枠２０は刺繍ミシンの枠駆動機構１２に取り付けられる。枠駆動機構１２は、ミシンベッド１３の上方に左右一対のアーム１４と、アーム１４を左右方向へ駆動するＸ駆動枠１５と、Ｘ駆動枠１５を前後方向へ駆動するＹ駆動枠１６とを備えている。刺繍枠２０は、アーム１４の取付部１７に着脱可能に取り付けられ、Ｘ駆動枠１５とＹ駆動枠１６の移動に伴い、針板１８の針孔１９を中心に前後左右方向へ駆動される。
【００１７】
図１、図２に示すように、刺繍枠２０は略四角形の保持枠としての外枠２１と、外枠２１と相似する形状の挟着枠としての内枠２５とを備えている。外枠２１は、従来と同様、四隅の一箇所に外切離部２２が設けられ、この外切離部２２を粗調節ネジ２４で接続することで環状となっている。なお、外枠は、外切離部がなく全周が閉じた無端環状であってもよい。
【００１８】
内枠２５には、接続片２３を介してアーム１４の取付部１７に着脱される左右一対の把手２６が設けられている。また、内枠２５の奥側中央には、外枠２１との間に加工布２を拘束しない切離部２７が形成されている。すなわち、切離部２７では、内枠２５が切れていて、外枠２１との間に加工布２を挟着しないようになっている。図３〜図５に示すように、切離部２７にて相対する内枠２５の左端２５ｌと右端２５ｒとの間には、外枠２１の外側で内枠２５を繋ぐ調節締結具３０が架設されている。そして、調節締結具３０には、外枠２１を跨ぐとともに、左右両端２５ｌ、２５ｒに取着されこの両端を繋ぐ一対の片部としての左右一対のブラケット３１、３２と、一方のブラケット３１に軸着され水平方向に傾動可能に設けられた操作レバー４３と、操作レバー４３の傾動角度に応じて切離部２７の間口を連続的に拡大又は縮小し、切離部２７の間口を拡大することで加工布２を枠張する拡縮機構と、傾動範囲内の任意の傾動角度に調節された操作レバー４３が内枠２５を縮小させる方向（枠張された加工布２を弛緩させる方向）へ傾動することを防止する防止機構と、左右一対のブラケット３１、３２を切離部２７の間口方向へ案内する案内機構とが設けられている。なお、この実施例では、内枠２５が合成樹脂の弾性材料で長辺が約４５．５ｃｍ、短辺が約３４．５ｃｍの平面視略長方形に成形され、切離部２７が約０．３ｃｍ〜約１．１ｃｍの間口寸法で拡縮するようになっている。
【００１９】
一対のブラケット３１、３２は、互いに略左右対称な形状に板金形成されものであり、基端部３１ａ、３２ａがネジ３５で内枠２５の内面に固着されている。また、各ブラケット３１、３２の先端は、左右方向に長い略矩形状の平板部３１ｂ、３２ｂになっている。第一ブラケット３１の先端の平板部３１ｂには、偏心ピン３６と、互いに離間した二つのガイドカラー３７とがネジ３６ｃ、３７ｃにより上面に鋲着されている。第二ブラケット３２の先端の平板部３２ｂには、ガイドカラー３７の対応する位置に左右方向に長い長円状の開口のガイド溝３８が二つ設けられている。そして、二つのガイド溝３８には、それぞれガイドカラー３７の先端部３７ｅが摺動可能に嵌合している。このガイド溝３８とガイドカラー３７とが案内機構を構成している。また、平板部３２ｂの長辺方向の中間の偏心ピン３６の対応する位置には、略矩形状の切欠部３９が形成されている。
【００２０】
偏心ピン３６には、偏心ピン３６を中心として回動する偏心カム４０が外嵌されている。また、偏心ピン３６の先端は、板金形成されたピンサポート４９によって支持されている。ピンサポート４９は、両端がネジ４９ｃによって二つのガイドカラー３７に固着されている。
【００２１】
偏心カム４０は、内部に偏心ピン３６が挿通された中空円柱状の円柱部４１と、円柱部４１の基端側にあり、中心が偏心ピン３６の軸心から偏心している円形板状のカム部４２とからなり、円柱部４１とカム部４２とは偏心ピン３６を中心に一体として回動するようになっている。カム部４２は切欠部３９に内挿され、カム部４２の側面は切欠部３９の左右の両内側面３９ｌ、３９ｒに当接している。そのため、この左右の両内側面３９ｌ、３９ｒは、偏心カム４０の回動によりカム部４２の側面に押圧されることから、押圧部となっている。カム部４２には、円柱部４１を挿通するための開口を有し、板金形成された操作レバー４３がネジ４３ｃによって固着されている。そのため、操作レバー４３は偏心ピン３６を傾動中心として傾動可能に第一ブラケット３１に軸着されている。また、偏心カム４０は、操作レバー４３の傾動とともに偏心ピン３６を中心として回動可能になっている。また、この偏心カム４０と切欠部３９の左右の両内側面３９ｌ、３９ｒとが拡縮機構を構成している。
【００２２】
操作レバー４３の上には、円柱部４１を挿通するための開口を有し、板金形成された解除レバー４４がワッシャー４７を介装して設けられている。解除レバー４４は偏心ピン３６を傾動中心として傾動可能に第一ブラケット３１に軸着されている。
【００２３】
解除レバー４４とピンサポート４９との間には、図５に示すような左巻きのねじりコイルバネ（トーションバネ）であるロックバネ４５が挿入されている。ロックバネ４５の上端部４５ｕはネジ４５ｃによりピンサポート４９に鋲着され、下端部４５ｄはネジ４４ｃにより解除レバー４４に鋲着されている。また、ロックバネ４５のコイル部４６は、円柱部４１の先端が圧入により内挿されるとともに偏心ピン３６が挿通されている。コイル部４６の内径（約７．８ｍｍ）は円柱部４１の外径（約８ｍｍ）より一回り小さいことから、円柱部４１が圧入されたコイル部４６の部位は拡径して円柱部４１を外嵌している。そのため、円柱部４１はロックバネ４５により緊締されている。そして、このロックバネ４５と円柱部４１が防止機構を構成している。
【００２４】
次に、この刺繍枠２０に加工布２を枠張する仕方について説明する。先ずは、操作レバー４３の傾動角度に応じて切離部２７の間口を連続的に拡大又は縮小する機能について説明する。図６に示すように、操作レバー４３を傾動させることにより、その傾動に従って、偏心カム４０は、偏心ピン３６を中心として、切欠部３９内で回動する。カム部４２は偏心ピン３６の軸心から偏心しているとともに、その側面が切欠部３９の左右の両内側面３９ｌ、３９ｒに当接していることから、偏心カム４０が回動することにより、第一ブラケット３１と第二ブラケット３２との相対位置が連続的に変位する。一方、第一ブラケット３１の上面に取着された二つのガイドカラー３７の先端部３７ｅは、それぞれ第二ブラケット３２の二つのガイド溝３８に摺動可能に嵌合していることから、第一ブラケット３１と第二ブラケット３２とは、互いにガイド溝３８に沿った方向、即ち、左右方向でもある切離部２７の間口が拡大又は縮小する方向に変位するようになっている。そのため、操作レバー４３を傾動させることにより、切離部２７の間口が連続的に拡大又は縮小して、内枠２５が連続的に拡大又は縮小する。
【００２５】
具体的には、操作レバー４３を右回り方向（図６のａの矢印ｘ１の方向）に傾動させることにより、切離部２７の間口が拡がり、内枠２５が拡大する。この逆に、操作レバー４３を左回り方向（図６のｃの矢印ｘ１の方向）に傾動させることにより、切離部２７の間口が狭まり、内枠２５が縮小する。より具体的には、図６のａに示すように、最も縮小した状態（切離部２７の間口が約３ｍｍ）の内枠２５の操作レバー４３を右回り方向に傾動させることにより、カム部４２の側面が切欠部３９の右内側面３９ｒを押圧し、内枠２５が拡大して、図６のｂに示すように、内枠２５と外枠２１との隙間が小さくなる。そして、操作レバー４３をさらに右回り方向に傾動させることにより、内枠２５がさらに拡大して、図６のｃに示すように、最も拡大した状態（切離部２７の間口が約１１ｍｍ）の内枠２５となることで、内枠２５と外枠２１との隙間がなくなり、内枠２５が外枠２１に内接する。これとは逆に、図６のｃに示すように、拡大して、外枠２１に内接している状態の内枠２５の操作レバー４３を左回り方向に傾動させることにより、カム部４２の側面が切欠部３９の左内側面３９ｌを押圧し、内枠２５が縮小して、図６のｂに示すように、内枠２５と外枠２１との間に隙間が生じる。そして、操作レバー４３をさらに左回り方向に傾動させることにより、内枠２５がさらに縮小して、図６のａに示すように、内枠２５と外枠２１との隙間が大きくなる。
【００２６】
次に、ロックバネ４５により操作レバー４３の傾動を防止する機能について説明する。図５に示すように、ロックバネ４５のコイル部４６の一部が偏心カム４０の円柱部４１に拡径して外嵌し互いに密接していることから、ロックバネ４５のコイル部４６は偏心カム４０の円柱部４１を緊締しており、ロックバネ４５のコイル部４６と偏心カム４０の円柱部４１との間には強い摩擦が生じている。また、ロックバネ４５は、上端部４５ｕをピンサポート４９に取着していることから、ロックバネ４５は偏心カム４０とともに回動しにくくなっている。そのため、操作レバー４３は、ロックバネ４５により傾動することを防止されている。
【００２７】
次に、解除レバー４４の傾動により、ロックバネ４５による偏心カム４０の円柱部４１の緊締を解除する機能について説明する。図７、図８に示すように、ロックバネ４５の下端部４５ｄは、解除レバー４４に取着している。そのため、解除レバー４４を押圧して、図７のａに示す状態から、右回り方向（図７のａの矢印の方向）に傾動させて、図７のｂに示す状態にすると、ロックバネ４５の下端部４５ｄの位置も、図７のａ及び図８のａに示す位置から、図７のｂ及び図８のｂに示す位置へと変位する。このように下端部４５ｄの位置が変位することで、図８に示すように、ロックバネ４５のコイル部４６（特に、下端部４５ｄに近いことから、円柱部４１が圧入された部位）が拡径し、図８のｂに示すように、円柱部４１とコイル部４６との間に隙間が生じる。または、隙間が生じないまでもロックバネ４５のコイル部４６による円柱部４１の締め付けが緩む。そのため、ロックバネ４５のコイル部４６による偏心カム４０の円柱部４１の緊締が解除され、偏心カム４０は回動可能になり、操作レバー４３も傾動可能となる。一方、前記の解除レバー４４の押圧を止めると、ロックバネ４５の弾性により、コイル部４６（特に、下端部４５ｄに近いことから、大きく拡径した円柱部４１が圧入された部位）は縮径し、図８のａに示すように、円柱部４１を再び緊締する。また、コイル部４６が縮径することで、下端部４５ｄの位置が変位し、解除レバー４４は左回り方向（図７のｂの矢印の方向）に傾動する。
【００２８】
次に、操作レバー４３の傾動について説明する。図９のａに示すように、操作レバー４３を右回り方向（図９のａの矢印ｘ１の方向、なお、この方向に操作レバー４３を傾動させることで内枠２５は拡大する）に傾動させようとすると、ロックバネ４５のコイル部４６と偏心カム４０の円柱部４１との強い摩擦により、ロックバネ４５を右回り方向に回動させようとするトルク（操作レバー４３及び偏心カム４０を右回り方向に傾動・回動させようとするトルクでもある）が偏心カム４０からロックバネ４５へと伝わり、ロックバネ４５は右回り方向へ偏心カム４０と連れ動こうとする。そのため、ロックバネ４５のコイル部４６が自身の弾性力に抗して拡径しようとして、ロックバネ４５による偏心カム４０の緊締が緩み、操作レバー４３は右回り方向へ傾動可能となる。そして、操作レバー４３を右回り方向へ傾動させることで、偏心カム４０との連れ動きにより、ロックバネ４５の下端部４５ｄは偏心ピン３６を中心として右回り方向に回動する。そのため、下端部４５ｄが取着している解除レバー４４は右回り方向に傾動する。
【００２９】
ところで、コイル部４６が拡径することで、ロックバネ４５と偏心カム４０との摩擦は小さくなることから、ロックバネ４５へと偏心カム４０から伝わる前記トルクは小さくなる。そのため、ロックバネ４５の下端部４５ｄは、偏心カム４０から伝わるトルクとコイル部４６の弾性力とが均衡するところまで変位する。そして、図９のｂに示すように、解除レバー４４は、ロックバネ４５が均衡を維持する位置（右回り方向に約５°傾動した位置）まで操作レバー４３とともに傾動する。その後、図９のｃに示すように、解除レバー４４はその状態を維持しながら、操作レバー４３のみが右回り方向へ傾動させられる。そして、図９のｃに示すように、操作レバー４３の傾動を止めると、解除レバー４４が、コイル部４６の拡径により生じたロックバネ４５の弾性力により左回り方向（図９のｃの矢印の方向）に傾動して、図９のｄに示す状態になり、ロックバネ４５のコイル部４６により偏心カム４０の円柱部４１が緊締される。なお、拡径したコイル部４６は左回り方向に回動しながら縮径することから、ロックバネ４５の縮径に伴って操作レバー４３が左回り方向に傾動する場合には、ロックバネ４５が縮径するまで操作レバー４３を手等で押さえておく。
【００３０】
一方、図９のｄに示すように、操作レバー４３を左回り方向（図９のｄの矢印の方向）に傾動させようとすると、ロックバネ４５を左回り方向に回動させようとするトルクも加わることから、ロックバネ４５のコイル部４６による偏心カム４０の円柱部４１の緊締はより一層固くなるとともに、摩擦もより一層強くなる。そのため、解除レバー４４は、ロックバネ４５により止められたまま、左回り方向への傾動ができなくなっている。
【００３１】
次に、布厚が異なる二種類の加工布２、３を刺繍枠２０に枠張するときについて説明する。
先ずは、図６のｃに示すように、内枠２５が最も拡大したときに（操作レバーの傾動角度が１８０°のときに）、内枠２５との間に隙間が生じないように予め粗調節ネジ２４により外枠２１の大きさを調節しておく。
次に、加工布２（厚さｔ２）を枠張するときは、操作レバー４３を右回り方向に傾動させて内枠２５を拡大していくと、図１０のａに示すように、操作レバー４３の傾動角度が１８０°より小さい角度のα２のとき、操作レバー４３が重くなり、外枠２１と内枠２５との間で加工布２を挟着して、加工布２が枠張される。また、ロックバネ４５により偏心カム４０が緊締されていることから、この状態で加工布２は弛緩することなく枠張されている。また、枠張された加工布２を刺繍枠２０から外すときは、解除レバー４４を右回り方向に傾動することで、ロックバネ４５による偏心カム４０の緊締が解除され、左回り方向の傾動が可能になった操作レバーを左回り方向に傾動し、外枠２１と内枠２５との隙間を大きくして、加工布２を刺繍枠２０から外す。
【００３２】
一方、加工布２より厚手の加工布３（厚さｔ３、ｔ３＞ｔ２）を枠張するときは、操作レバー４３を右回り方向に傾動させていくと、図１０のｂに示すように、操作レバー４３の傾動角度がα２より小さい角度のα３とき、即ち、加工布２を枠張するときよりも内枠２５が小さいときに、操作レバー４３が重くなり、外枠２１と内枠２５との間で加工布３を挟着して、加工布３が枠張される。また、ロックバネ４５により偏心カム４０が緊締されていることから、この状態で加工布３は弛緩することなく枠張されている。また、枠張された加工布３を外すときは、加工布２のときと同じように行う。
【００３３】
本実施例によれば、次の効果が得られた。
・内枠２５を拡大する方向（右回り方向）に操作レバー４３を傾動することで、内枠２５を拡大でき、容易に且つ短時間で加工布２を刺繍枠２０に枠張することができた。
・内枠２５を縮小する方向（左回り方向）への操作レバー４３の傾動はロックバネ４５による偏心カム４０の緊締により防止されていることから、加工途中等に弛緩することなく加工布２を枠張することができた。
・内枠２５を拡大する方向への操作レバー４３の傾動はロックバネ４５による偏心カム４０の緊締により防止されないことから、片手で加工布２の挟着を行うことができた。
・解除レバー４４を右回り方向に傾動することでロックバネ４５による偏心カム４０の緊締が解除され、内枠２５を縮小する方向へ操作レバー４３を傾動して、内枠２５を縮小できることから、容易に且つ短時間で加工布２を刺繍枠２０から外すことができた。
・内枠２５を縮小する方向への操作レバー４３の傾動はロックバネ４５による偏心カム４０の緊締により防止されていることから、加工布２より厚い加工布３を枠張するときでも、内枠２５を拡大する方向への操作レバー４３の傾動角度を小さくすることだけで加工布３の枠張が行えた。
・そのため、加工布２より厚い加工布３を枠張するときでも、粗調節ネジ２４により外枠２１の大きさを調節しなくて済み、粗調節ネジ２４を回動させることによる指先への負担がなくなり、指先を痛めることがなくなった。
【００３４】
なお、本発明は前記実施例に限定されるものではなく、発明の趣旨から逸脱しない範囲で適宜変更して具体化することもできる。
【符号の説明】
【００３５】
２    加工布
３    加工布（厚手）
２０    刺繍枠
２１    外枠
２５    内枠
２５ｌ  左端
２５ｒ  右端
２７    切離部
３０    調節締結具
３１    第一ブラケット
３２    第二ブラケット
３６    偏心ピン
３７    ガイドカラー
３８    ガイド溝
３９    切欠部
３９ｌ  左内側面
３９ｒ  右内側面
４０    偏心カム
４１    円柱部
４２    カム部
４３    操作レバー
４４    解除レバー
４５    ロックバネ
【図１】
2012007267.tif 000003
【図２】
2012007267.tif 000004
【図３】
2012007267.tif 000005
【図４】
2012007267.tif 000006
【図５】
2012007267.tif 000007
【図６】
2012007267.tif 000008
【図７】
2012007267.tif 000009
【図８】
2012007267.tif 000010
【図９】
2012007267.tif 000011
【図１０】
2012007267.tif 000012